(57)【要約】【課題】水噴射式織機の緯入れ用の噴射水の直進性を保ち、緯入れを安定化することである。【解決手段】筬４や筬保持部材３の上又は下の口金部７、８に、一体又は別体とし経糸開口範囲２外において、織前１０側に延在した部材９を設ける水噴射式織機の緯入れ安定化装置。部材９は、筬羽５に、緯入れノズル１から噴射する噴射水先端範囲１７の上又は下に対して設けても良い。部材９の延在方向は、筬羽の長手方向に対して直角であっても良い。部材９の先部には、筬羽側に開口する湾曲部を有しても良い。【選択図】　　　図１
2004124318.tif 000002
【特許請求の範囲】
【請求項１】
筬（４）の上側の口金部（７）に、一体又は別体として、経糸開口範囲（２）外において織前（１０）側に延在した部材（９）を設ける水噴射式織機の緯入れ安定化装置。
【請求項２】
筬（４）の下側の口金部（８）に、一体又は別体として、経糸開口範囲（２）外において織前（１０）側に延在した部材（９）を設ける水噴射式織機の緯入れ安定化装置。
【請求項３】
筬保持部材（３）に、一体又は別体として、経糸開口範囲（２）外において織前（１０）側に延在した部材（９）を設ける水噴射式織機の緯入れ安定化装置。
【請求項４】
筬羽（５）に、緯入れノズル（１）から噴射する噴射水先端範囲（１７）の上方において織前（１０）側に延在した部材（９）を設ける水噴射式織機の緯入れ安定化装置。
【請求項５】
筬羽（５）に、緯入れノズル（１）から噴射する噴射水先端範囲（１７）の下方において織前（１０）側に延在した部材（９）を設ける水噴射式織機の緯入れ安定化装置。
【請求項６】
部材（９）の延在方向は、筬羽（５）の長手方向に対して直角であることを特徴とする請求項１から５のうち、何れか１項に記載の水噴射式織機の緯入れ安定化装置。
【請求項７】
部材（９）の先部には、筬羽（５）側に開口する湾曲部（１１）を有することを特徴とする請求項１又は４記載の水噴射式織機の緯入れ安定化装置。
【発明の詳細な説明】
【０００１】
【発明の属する技術分野】
本発明は、水噴射式織機の緯入れ用の噴射水の直進性を保ち、緯入れを安定化する装置に関する。
【０００２】
【従来の技術】
水噴射式織機は、緯入れ噴射水が反給糸側に向かうにつれて上向きに移動する現象が生ずる。この現象は、上下の口金部の間に多数枚の筬羽を並列してある筬（例えば、特許文献１参照。）が揺動運動することによって、筬前方に上昇気流が発生することによるものと推測される。上昇気流が発生する原理は、筬打ち後に筬が後退すると、織前側の空気が筬に引き寄せられ、続いて筬が前進すると、その引き寄せられた空気が押し返されて上昇するという理屈である。そして、噴射水の上向き移動現象は、高速、省水時に発生しやすく、上向きに移動した噴射水によって、経糸が損傷することがある。従って、噴射水を経糸開口内に通過させるには、緯入れノズルからの噴射水の圧力を高めて直進性を強めるか、上向きの移動量を考慮して噴射方向を調整せねなばらなずその調整が困難であった。
【０００３】
【特許文献１】
特開平８−４１７５８号公報（第１図）
【０００４】
【発明が解決しようとする課題】
本発明は上記実情を考慮して開発されたもので、その解決課題は、筬の揺動運動によって発生する緯入れ噴射水への上昇気流を抑制することである。
【０００５】
【課題を解決するための手段】
請求項１記載の発明は、筬の上側の口金部に、一体又は別体として、経糸開口の範囲外において織前側に延在した部材を設ける。
【０００６】
織機を高速運転すると、経糸がオーバーランして開口方向に弓状に膨らむおそれがある。しかし、ここでの経糸開口範囲とは、経糸のオーバーランを想定せずに、経糸が最も開口した範囲のことを意味する。言い換えると、経糸開口範囲とは、上下方向それぞれに最大に開口された綜絖の糸通し穴（メール）と織前を結んだ２直線及びその２直線に囲まれた領域をいう。部材を経糸開口範囲外に設けてあるので、部材で経糸を殆ど傷つけずにすむ。また、部材は、経糸開口範囲外であって、しかも経糸のオーバーランする範囲外に設けることが、経糸の損傷を防止する観点からは望ましい。
【０００７】
請求項２記載の発明は、筬の下側の口金部に、一体又は別体として、経糸開口の範囲外において織前側に延在した部材を設ける。
【０００８】
請求項３記載の発明は、筬保持部材に、一体又は別体として、経糸開口の範囲外において織前側に延在した部材を設ける。
【０００９】
部材は、下側の口金部や筬保持部材に設けた方が、筬の揺動中心に近づき、揺動によって受ける衝撃が小さくてすむので、損傷し難い。
【００１０】
部材は、口金部や筬保持部材（以下、口金部等と称呼する）の緯入れ方向の全幅に設けても良いし、全幅のうち任意の位置にのみ設けても良い。また、口金部等に対して部材を別体とした場合は、口金部等の緯入れ方向の全幅よりも幅狭の部材を、口金部等の緯入れ方向に位置調整可能に取付けても良い。同じく、口金部等に対して部材を別体とした場合に、緯入れ方向の幅の異なる部材を複数用意しておけば、口金部等に取り付ける部材の幅を変更することができる。
【００１１】
請求項４記載の発明は、筬羽に、緯入れノズルから噴射する噴射水先端範囲の上方において織前側に延在した部材を設ける。
【００１２】
請求項５記載の発明は、筬羽に、緯入れノズルから噴射する噴射水先端範囲の下方において織前側に延在した部材を設ける。
【００１３】
噴射水は、空気抵抗を最も受ける先端が他の箇所よりも膨れて直径が最も大きくなるので、先端範囲よりも外れた箇所に部材を設けて、部材に噴射水が衝突することを避けてある。
【００１４】
部材は、多数枚からなる筬羽の全てに設けても良いし、筬羽の所望の枚数にのみ設けても良い。
【００１５】
請求項６記載の発明は、部材の延在方向は、筬羽の長手方向に対して直角であることを特徴とする。
【００１６】
直角とは、目視で直角と認識できる程度の角度を意味し、数学的に厳密な数値を要求するものではない。また、ここでの角度は、筬と部材で形成する角度のうち、経糸開口側又は噴射水の噴射領域側のものを意味する。
【００１７】
請求項７記載の発明は、請求項１と請求項４記載の発明の下位概念であって、部材の先部には、筬羽側に開口する湾曲部を有することを特徴とする。
【００１８】
ここで請求項１と請求項４記載の発明の下位概念としたのは、部材が上側の口金部か筬羽の噴射水先端範囲の上方に設けてあることを明確にするためである。上側の部材の先部に、筬羽側に開口する湾曲部を有すれば、経糸開口内の上昇気流を部材の根元側（筬に近い側）によって抑えた際に、その抑えた気流が筬から離れる方向に逃げるのを、湾曲部でスムーズに少なくとも下側に導くことにより、上昇気流を効果的に減少できる。
【００１９】
【発明の実施の形態】
水噴射式織機は図１に示すように、織機フレームに固定された緯入れノズル１からの噴射水を経糸開口範囲２に通過させて緯糸を緯入れし、筬保持部材３に支持された筬４を揺動運動させる。
【００２０】
筬４は、多数枚からなる細長い平板状の筬羽５の上下端部を巻きバネ６に所定間隔をあけて差し込んで並列し、巻きバネ６で一体化した多数枚の筬羽５の上下端部を、上下に対向する断面コ字状の口金部７，８に収容した構造が一般的である。そして、下側の口金部８を筬保持部材３に固定し、筬保持部材３を図示しない揺動機構に連結してある。
【００２１】
緯入れ安定化装置の第一例は、上側の口金部７の下端部に部材９（以下「気流抑制部９」という）を織前１０側に且つ筬羽５の長手方向に直角に延在して形成し、筬保持部材３の上端部にも別の部材９（以下「気流抑制部９」という）を織前１０側に且つ筬羽５の長手方向に直角に延在し途中で下方にさらに屈曲して形成してある。上下の気流抑制部９は、何れも経糸開口範囲２外に設けてある。また、上側の気流抑制部９は上側の口金部７と一体であり、下側の気流抑制部９は筬保持部材３と別体であってネジ止めしてある。
【００２２】
図２（イ）、（ロ）、（ハ）に示す緯入れ安定化装置の第二例から第四例は、何れも上側の口金部７に気流抑制部９を一体に設けたものである。第二例は、図２（イ）に示すように、筬羽５の長手方向を鉛直方向と仮定した場合に、気流抑制部９を先端に向かって織前側の下向きに傾斜したものである。
【００２３】
第三例は図２（ロ）に示すように、筬羽５の長手方向を鉛直方向と仮定した場合に、気流抑制部９を先端に向かって上向きに傾斜し途中でほぼ水平に屈曲したものである。
【００２４】
第四例は図２（ハ）に示すように、筬羽５の長手方向を鉛直方向と仮定した場合に、気流抑制部９を先端に向かって水平に延長しその先部を鉛直に屈曲したものである。このようにすれば、気流抑制部の根元部分で上昇気流を抑え、その抑えた気流が織前側に逃げるのを先部で抑制し、下方へ導くことができる。
【００２５】
図３（イ）（ロ）に示す緯入れ安定化装置の第五例と第六例は何れも上側の口金部７に別体の気流抑制部９をネジ止めしたものである。図３（イ）に示す第五例は、気流抑制部９が断面Ｌ字状に屈曲し、その一片をネジ止め部分としている。図３（ロ）に示す第六例は、気流抑制部９が断面く字状に屈曲しているものである。
【００２６】
図４（イ）から（ニ）に示す緯入れ安定化装置の第七例から第十例は、何れも気流抑制部９は、織前側への延在方向に向かって角がない状態で滑らかに連続し、筬羽５側に開口する湾曲部１１を先部に有するものである。図４（イ）に示す第七例は、湾曲部１１が気流抑制部９の平坦部よりも下方に向かって開口し、図４（ロ）から（ニ）に示す第八例から第十例は、湾曲部１１が筬羽５に正対する状態で開口している。また、第八例は、気流抑制部９の先部の一部分を湾曲部１１としたもので、それ以外は、気流抑制部９の先部の全体を湾曲部１１としたものである。
【００２７】
図４（イ）に示す第七例は、湾曲部１１を半円未満の円弧状としてある。このようにすれば、湾曲部１１によって、図２（ハ）に示す第四例に比べて、スムーズに気流を下方に導ける。また、円弧状であるので、怪我を防止できる。
【００２８】
第八例は、湾曲部１１が半円状のものである。
【００２９】
第九例は、気流抑制部９の先部が、根元側の湾曲部１１と、先端側の逆湾曲部１２とからなり、湾曲部１１が半円状に、逆湾曲部１２が筬羽５から離れる方向に開口する半円未満の円弧状としてある。
【００３０】
第十例は、気流抑制部９の全体が湾曲しており、先部に有する湾曲部１１が半円未満の円弧状としてある。
【００３１】
第八例から第十例は、何れも気流抑制部９の根元から最も離れた箇所ａよりも、近い箇所に先端ｂがある。気流抑制部９の根元から最も離れた箇所（手に触れやすい箇所）が、湾曲部１１にあるので、第七例よりも、怪我を防止できる。また、第八例から第十例は、経糸開口内の上昇気流を気流抑制部の根元側（筬に近い側）によって抑えた際に、その抑えた気流が筬から離れる方向に逃げるのを、湾曲部でスムーズに筬羽側に戻すことにより、第七例よりも、上昇気流を抑えることができる。
【００３２】
緯入れ安定化装置の第十一例は図５に示すように、上下の口金部７，８に対して気流抑制部９を別体とし、上下の口金部７，８に気流抑制部９を、取付可能に且つ緯入れ方向に対して位置調整可能に設けると共に、筬４を上下及び左右に１８０度回転させた場合でも、同様に上下の口金部７，８に気流抑制部９を、取付可能に且つ緯入れ方向に位置調整可能に設けることを特徴とする。
【００３３】
上下の口金部７，８は、上又は下方向に断面コ字状に開口する部分の前片１３と後片１４の先端部から取付片１５，１６を、筬羽５から離れる方向に向かって直角に且つ緯入れ方向の全幅に沿って延長し、取付片１５，１６にはネジ孔Ｈを一定の間隔をあけて形成する。
【００３４】
また、気流抑制部９は、口金部７，８の緯入れ方向の全幅よりも幅狭に形成し、ネジ孔Ｈに対応する位置に図示しない抜穴を形成する。このようにすれば、筬４は、図６に示すように、取付片１５，１６の設け方が上下及び左右対称形状となり、上下又は左右に１８０度回転させて筬保持部材３に固定した場合でも、気流抑制部９を所望の箇所に取り付けることができ、便利である。
【００３５】
緯入れ安定化装置の第十二例から第十四例は図７（イ）（ロ）（ハ）に示すように、何れも筬羽５に、緯入れノズル１から噴射する噴射水先端範囲１７の外側に対して織前１０側に延在する気流抑制部９を設け、筬羽５と気流抑制部９を一体としたことを特徴とするものである。また、何れも気流抑制部９の延在方向は、筬羽５の長手方向に対して直角としてある。
【００３６】
第十二例は、噴射水先端範囲１７の上方に気流抑制部９を設けてある。第十三例は、噴射水先端範囲１７の下方に気流抑制部９を設けてある。第十四例は、噴射水先端範囲１７の上下両方に気流抑制部９を設けてある。
【００３７】
気流抑制部９の効果を確かめる試験を行った。試験は、反給糸側に配置した感圧紙に噴射水を５秒間当てる方法を用いた。試験条件は、織機回転数：１０００ｒｐｍ、筬の筬羽長手方向の全長：３５ｍｍ、筬の緯入れ方向の全長：１９０ｃｍ、噴射方向：水平方向を基準として１５度斜め下向き、経糸を張っていない状態とする。また、試験内容は、筬４と気流抑制部９がないもの（緯入れノズルから単に噴射するものでタイプ１）、筬のみ（気流抑制部がないものでタイプ２）、気流抑制部９があるもの（タイプ３からタイプ１０）を８種類とした。タイプ３からタイプ７は、上側の口金部７の緯入れ方向全幅を５等分し、その等分された箇所のうち気流抑制部９を付ける箇所を反給糸側から順次増やしていったものである。タイプ８は、上側の口金部７の緯入れ方向全幅を５等分し、その等分された箇所のうち給糸側（緯入れノズル側）の二箇所に気流抑制部９をつけたものである。タイプ９は、下側の口金部８の緯入れ方向全幅に気流抑制部９を付けたものである。タイプ１０は、上下の口金部７，８の緯入れ方向全幅に気流抑制部９をつけたものである。
【００３８】
試験結果は、図８の（イ）から（ニ）にはタイプ１からタイプ４について、図９の（イ）から（ニ）にはタイプ５からタイプ８について、図１０の（イ）（ロ）にはタイプ９とタイプ１０が順次示されている。図中のハッチング領域１８が感圧紙の変色箇所（水が当たった箇所）である。ハッチング領域１８は、感圧紙の実際の変色状態を簡略化して表してある。図面では、ハッチング領域１８が経糸開口範囲２外に大きくはみ出しているが、前述したように経糸を張っていない状態での試験であるので、実際の経糸を張った状態では、噴射水は経糸開口範囲２内で拡散し、経糸開口範囲２外には殆ど拡散しない。
【００３９】
図８から図１０によれば、タイプ２の筬のみに比べて、気流抑制部９を設けたタイプ３からタイプ１０のうちの大半がハッチング領域１８が円形に近くなっていることが読みとれる。従って、気流抑制部９を設けることによって、噴射水の収束性が向上すると言える。また、上記試験のタイプ２とタイプ１０では、織機主軸のクランク角が９０度から２１５度の期間、噴射水の先端形状を連続撮影した。その結果、タイプ１０の方（気流抑制部９を設けた方）が、タイプ２の筬のみに比べて、噴射水の先端形状が収束していることも確認できた。
【００４０】
上記した試験結果が図１１の表にまとめてある。表の数値は、タイプ１でのハッチング領域１８の中心を基準として、上方向への移動量と織後方向への移動量をタイプ毎に算出してある。表からは、気流抑制部９を設けることによって、上方向への移動量が減少すると言える。また、緯入れ方向の幅全域に亘って気流抑制部９を設けた方が、上方向への移動量及び織後方向への移動量が減少すると言える。なお、タイプ９の場合、織後方向への移動量が増大しているのは、後退した筬４が前進する際に筬４よりも織前側では、気流抑制部９によって下から上に向かう気流が阻止され、その反作用として織前からの気流が大きくなったものと考えられる。
【００４１】
緯入れ安定化装置は上記した例に限定されない。例えば、第二例から第十例で示した形態の気流抑制部９は、上側の口金部７に限らず、下側の口金部８に設けても良い。また、部材９の延在部分は、経糸のオーバーランする範囲外にあっても良い。この場合、筬４の上下方向に対する部材９の延在部分の範囲が、経糸開口範囲外の場合よりも小さくなるため、その分、部材９に対する空気抵抗が少なくなる。
【００４２】
【発明の効果】
本発明は、織前側に延在する部材によって、緯入れ時に揺動する筬の前方に生ずる上昇気流を抑え、それに伴って緯入れ噴射水の上昇を抑制できる。この結果、噴射水の噴射方向の調整が容易化し、緯入れが安定化される。よって、緯入れ噴射水による経糸の損傷の防止を達成できるし、緯入れ時の噴射水の水量の減少、噴射圧の減少も行える。
【００４３】
また、筬が揺動することによって、部材の上下にも通常は気流の変動が生ずるが、部材を筬羽の長手方向に対して直角に延在すれば、部材の延在方向が筬の揺動軌跡に対して接線方向となり、部材による気流の変動をなくすことができる。
【００４４】
さらに、上側の部材の先部に、筬羽側に開口する湾曲部を有すれば、経糸開口内の上昇気流を気流抑制部の根元側によって抑えた際に、その抑えた気流が筬から離れる方向に逃げるのを、湾曲部でスムーズに少なくとも下側に導くことにより、上昇気流を効果的に減少できる。また、湾曲部によって怪我を防止できる。
【図面の簡単な説明】
【図１】緯入れ安定化装置の第一例を示す側面図である。
【図２】（イ）（ロ）（ハ）
緯入れ安定化装置の第二、三、四例を示す側面図である。
【図３】（イ）（ロ）
緯入れ安定化装置の第五、六例を示す側面図である。
【図４】（イ）（ロ）（ハ）（ニ）
緯入れ安定化装置の第七、八、九、十例を示す側面図である。
【図５】（イ）（ロ）
緯入れ安定化装置の第十一例を示す側面図、平面図である。
【図６】（イ）（ロ）
第十一例に使用する筬を示す側面図、正面図である。
【図７】（イ）（ロ）（ハ）
緯入れ安定化装置の第十二、十三、十四例を示す側面図である。
【図８】（イ）（ロ）（ハ）（ニ）
タイプ１、２、３、４の試験結果を示す側面図である。
【図９】（イ）（ロ）（ハ）（ニ）
タイプ５、６、７、８の試験結果を示す側面図である。
【図１０】（イ）（ロ）
タイプ９、１０の試験結果を示す側面図である。
【図１１】試験結果の表である。
【符号の説明】
１　緯入れノズル
２　経糸開口範囲
３　筬保持部材
４　筬
５　筬羽
７、８　口金部
９　部材（気流抑制部）
１７　噴射水先端範囲
【図１】
2004124318.tif 000003
【図２】
2004124318.tif 000004
【図３】
2004124318.tif 000005
【図４】
2004124318.tif 000006
【図５】
2004124318.tif 000007
【図６】
2004124318.tif 000008
【図７】
2004124318.tif 000009
【図８】
2004124318.tif 000010
【図９】
2004124318.tif 000011
【図１０】
2004124318.tif 000012
【図１１】
2004124318.tif 000013